(57)【要約】【課題】    構造は比較的簡易であるにもかかわらず、人間が紫外放射を視認する恐れがなく安全であり、さらに循環する空気は紫外放射により殺菌効果に優れている殺菌装置を提供することを課題とする。【解決手段】  中空筒体の装置本体１の内部に紫外放射光源２を装着し、同装置本体の一端近傍に空気ファン２１を配置して構成してある。また装置本体の他端近傍に循環する空気の圧力損失が少なく、且つ循環する空気が紫外放射光源に、より近接しながら送風される調整蓋３１を設けて構成してある。また調整蓋は、上蓋３２と中蓋３３と内蓋３４の３枚で構成し、さらに上蓋と中蓋と内蓋には、上蓋の外部から紫外放射が漏れないように、空孔を有して構成してある。【選択図】図１
2006314661.tif 000002
【特許請求の範囲】
【請求項１】
中空筒体の装置本体の内部に紫外放射光源を装着し、同装置本体の一端近傍に空気ファンを配置し、また装置本体の他端近傍に循環する空気の圧力損失が少なく、且つ循環する空気が紫外放射光源により近接しながら送風され、且つ紫外放射が装置本体の外部に漏れるのを防止する調整蓋を設けて構成したことを特徴とする殺菌装置。
【請求項２】
調整蓋は、上蓋と中蓋と内蓋の３枚で構成し、且つ同上蓋と中蓋と内蓋は間隔を有して配置し、さらに中蓋は循環する空気が紫外放射光源により近接するように、外周近傍と中央付近に空孔を有して構成したことを特徴とする請求項１記載の殺菌装置。
【請求項３】
上蓋と中蓋と内蓋は、循環する空気が乱流を起こすように、内蓋は外周近傍に空孔があり、中蓋は外周近傍と中央付近に空孔があり、上蓋は中央近傍に空孔を有し、また同上蓋と中蓋と内蓋に形成された各空孔は位置をずらして形成され、上蓋の外部に紫外放射が漏れないように構成したことを特徴とする請求項２記載の殺菌装置。
【発明の詳細な説明】
【技術分野】
【０００１】
本発明は紫外放射光源を装着した殺菌装置の改良に関する。
【背景技術】
【０００２】
近年、病院の待合室や食品工場等においては、紫外放射光源を用いて、紫外放射光源から生成される紫外放射で空気中に浮遊する菌を殺菌することが実施されている。（特許文献１）
また簡易型の殺菌装置としては、筒体の内部に紫外放射光源を装着し、同筒体の内部に空気を送り込み循環させて、空気中に浮遊する菌を殺菌することが行われている。
【０００３】
【特許文献１】特開７−２８９６１６
【発明の開示】
【発明が解決しようとする課題】
【０００４】
しかし殺菌装置の構造あるいは殺菌装置の取り付け位置や取り付け角度によると、紫外放射が装置の外部に漏れて、人間が紫外放射を視認する恐れがある。紫外放射を人間が視認すると有害であり改良が必要となる。
【０００５】
本発明は上記の事情に鑑みてなされたもので、比較的簡易な構造で人間が紫外放射を視認する恐れがなく、さらに殺菌効果の優れた殺菌装置を提供することを目的とする。
【課題を解決するための手段】
【０００６】
本発明は上記の課題を解決するために次の構成とする。請求項１は、中空筒体の装置本体の内部に紫外放射光源を装着し、同装置本体の一端近傍に空気ファンを配置して構成してある。また装置本体の他端近傍に循環する空気の圧力損失が少なく、且つ循環する空気が紫外放射光源により近接しながら送風され、さらに紫外放射が装置本体の外部に漏れるのを防止する調整蓋を設けて構成してある。
【０００７】
請求項２は、請求項１における調整蓋を、上蓋と中蓋と内蓋の３枚で構成し、且つ同上蓋と中蓋と内蓋は間隔を有して配置し、さらに中蓋は循環する空気が紫外放射光源により近接するように、外周近傍と中央付近に空孔を有して構成してある。
【０００８】
請求項３は、請求項２における上蓋と中蓋と内蓋は、循環する空気が乱流を起こすように、内蓋は外周近傍に空孔があり、中蓋は外周近傍と中央付近に空孔があり、上蓋は中央近傍に空孔を有して構成してある。また同上蓋と中蓋と内蓋に形成された各空孔は位置をずらして形成され、上蓋の外部に紫外放射が漏れないように構成してある。
【発明の効果】
【０００９】
上記した本発明によると、構造は比較的簡易であるにもかかわらず人間が紫外放射を視認する恐れがなく、循環する空気は紫外放射光源に、より近接するので殺菌効果に優れ、さらに通過する空気は損失が少なく処理効果が高い特別な効果がある。
【発明を実施するための最良の形態】
【００１０】
＜第１の実施形態＞
以下第１の実施形態を図１乃至図３について説明する。図１において、１は中空状筒体の装置本体であって、例えば鋼板やプラスチック材で構成してある。同装置本体１は例えば高さ１１４０ｍｍ、太さはΦ２００ｍｍに構成してある。２は装置本体１の長手方向に沿って内部に装着してなる紫外放射光源であって、例えば１５ワットの直管型紫外放射光源を用いて構成してある。３、４は装置本体１の内部に設けた一対のソケットであって、両ソケット間に１５ワットの直管型紫外放射光源を装着してある。５は図１における上方のソケット３に接続してなるリード線である。６、７は装置本体１を支えるための支柱である。
【００１１】
１０は図３に示すように、装置本体１の長手方向の構成壁の一部に開閉自在に設けた紫外放射光源を交換するための内側開閉板であって、装置本体１に蝶番で支持して構成してある。１１は内側開閉板１０を覆ってなる外側開閉板であって、支持腕１２を介して内側開閉板１０に固定してある。１３は図１に示すように、装置本体１の構成壁の一部に設けた紫外放射光源の点灯確認窓である。１４は内側開閉板１０の内側に設けた透明ガラス、１５は外側開閉板１１の内側に設けた透明ガラス、１６は紫外放射光源２を挟んで配置してなる透明ガラスである。これらの透明ガラスは、紫外放射を透過しないものを用いて構成してある。なお、同透明ガラスは、紫外放射を透過せず、紫外放射により劣化しないものであればプラスチックを用いて構成してもよい。
【００１２】
２１は図１における下方のソケット４の下側に設けてなる空気ファンである。同空気ファン２１は、１ｍ3／ｍｉｎの送風量のものを用いて構成してある。２２は装置本体１の内底部に設けた点灯装置であって、紫外放射光源を点灯するための安定器等を有して構成してある。
【００１３】
３１は装置本体１の内部であって、空気ファン２１の他端近傍に設けた円形状の調整蓋であって、上蓋３２と、中蓋３３と、内蓋３４の３枚で構成してある。上蓋３２は図２に示すように、中央にΦ１４０ｍｍの空孔３８を有して構成してある。中蓋３３は図２に示すように、外周部と中央に空孔３５、３６を有して構成してある。内蓋３４は図２に示すように、円形状に構成してなる外周より内側に空孔３７を有して構成してある。上蓋３２の空孔３８と、中蓋３３の空孔３５、３６と、内蓋３４の空孔３７の面積は、略等しくなるように構成してある。上蓋３２と中蓋３３の空隙率が内蓋３４より少ないと、内蓋３４から送風された空気が中蓋３３と上蓋３２を通過する際に遮られ、その圧力損失により、送風量が減少することになる。上蓋３２と、中蓋３３と、内蓋３４の空隙率が略等しくなると圧力損失を最小とすることができる。また上蓋３２と、中蓋３３と、内蓋３４に形成された各空孔は位置をずらして設けられ、上蓋の外部に紫外放射が漏れないように構成してある。上蓋３２と、中蓋３３と、内蓋３４を上述のように構成すると、殺菌装置の取り付け位置や取り付け角度にかかわらず、紫外放射が外部に漏れることはなく、在室者が紫外放射を視認する危険性を防ぐことができる。紫外線照度計により測定したところ本発明による構造によると、上蓋の外部に紫外放射が漏れてないことが確認されている。
【００１４】
４０は装置本体１の上端に設けた天板であって、不透光性材で構成してある。４１は天板４０の内側に設けた拡散板であって、例えば断面Ｖ字形あるは逆円錐形状に構成してある。紫外放射によって殺菌された循環する空気が拡散されるように構成してある。拡散板４０を断面Ｖ字形あるは逆円錐形状に構成すると、殺菌された空気の内部で拡散される。
【００１５】
次に上記した第１の実施形態を次の条件で試験したときの実験結果を表１に示す。
試験条件
（１）試験菌種：メチシリン耐性黄色ブドウ球菌
（２）試験菌培養方法：冷凍保存した菌株を前々培養し、３５℃で２４時間前培養したコロニーをイオン交換水に浮遊し、１０9ＣＦＵ／ｍｌに調整する。
（３）試験方法：装置本体の空気ファンの下方近傍で菌を含む液を噴霧し、紫外放射光源を点灯し、装置本体の内部を噴霧した菌が通過する。
かかる後紫外放射した菌を装置本体の他側で回収する。
（４）菌の回収  ：一回の試験で５０リットルの空気量
（５）浮遊菌数の測定：メンブランフィルターで濾過してフィルタ上に試験菌を集め寒天培地に貼り付け３５℃で４８時間培養
培地上に発育した集落数を測定                      
（６）試験回数：５回
（７）風速：０．５０ｍ/ｓ
（８）紫外線放射光源：１５ワット  
【００１６】
表１
浮遊菌数と殺菌率
2006314661.tif 000003
【００１７】
第１の実施形態によると、次の作用がある。
（１）装置本体１の空気ファン２１を回転すると、装置本体１の下方から流入した試験菌は、紫外放射光源２の外周を通過し、内蓋３４、中蓋３３、上蓋３２をとおり、拡散板４１に当たって外部に流出する。
（２）空気は紫外放射光源２の外周を通過するときに、紫外放射により、第１の実施形態による表１に示すよう９８％の殺菌効果を得ることができる。
（３）また装置本体１の内部を通過する空気は、内蓋３４、中蓋３３、上蓋３２を通って、図２に示す矢府で示すように流れ、空気損失は少なく、効果的に空気殺菌することができるものである。また内蓋３４、中蓋３３、上蓋３２により、装置本体１の内部を通過する空気は、乱流を起こし殺菌効果を高めることができるものである。つまり、内蓋３４の空孔３７を空気が通過する際に、空気は紫外放射光源２に近づき、また中蓋３３の空孔３５と３６を通過する際に、空気は乱流を起こし殺菌率は向上する。さらに内蓋３４、中蓋３３、上蓋３２により、紫外放射が殺菌装置の外部に漏れる恐れはなくなる。
【００１８】
＜第２の実施形態＞
第２の実施形態は例えば高さ１６００ｍｍ、太さはΦ２００ｍｍに構成し、３０ワット直管型紫外放射光源を用いて構成する。他の構造と、実験の条件は第１の実施形態と同じである。
実施形態２によると、表２に示す殺菌率となる。
【００１９】
表２  
浮遊菌数と殺菌率
2006314661.tif 000004
【００２０】
第２の実施形態によると、次の作用がある。
（１）装置本体１の空気ファン２１を回転すると、  第１の実施形態と同様に空気は循環する。
このとき、装置本体における紫外放射光源は、３０ワットを用いているので、殺菌効果は表２に示すように９９．９２％まで向上することができる。
【００２１】
なお、上記した第２の実施形態における調整蓋（上蓋、中蓋、内蓋）を取り外し、実験したところ（他の条件は第２の実施形態と同じ）、殺菌率は９９．６％であり、本発明における殺菌装置の殺菌率が高いことが確認された。
【図面の簡単な説明】
【００２２】
【図１】本発明に係る殺菌装置の縦断面図。
【図２】図１の殺菌装置の一部拡大斜視図。
【図３】本発明に係る殺菌装置の横断面図。
【符号の説明】
【００２３】
１  装置本体
２  紫外放射光源
３、４  ソケット
５  リード線
６、７  支柱
１０  内側開閉板
１１  外側開閉板
１２  支持腕
１３  点灯確認窓
１４  透明ガラス
２１  空気ファン
２２  電気部品
３１  調整蓋
３２  上蓋
３３  中蓋
３４  内蓋
３５．３６  空孔
３７  空孔
３８  空孔
４０  天板
４１  拡散板
【図１】
2006314661.tif 000005
【図２】
2006314661.tif 000006
【図３】
2006314661.tif 000007